(57)【特許請求の範囲】
【請求項１】
オーディオデータが記録されているオーディオディスクと、２秒１６フレーム位置以降にオーディオデータ以外のデータが格納されているＲＯＭディスクの両ディスクを再生可能なオーディオ／ＲＯＭ兼用光ディスク再生装置において、
収納されているディスクが再生可能状態に至るまでの間に設定されたプログラムナンバーを記憶する記憶手段と、
前記収納ディスクの前記２秒１６フレーム位置のサーチを行い、サーチ後の前記２秒１６フレーム位置における記録情報に基づいて前記収納ディスクがオーディオディスクかＲＯＭディスクかを識別する識別手段と、
該識別手段によりオーディオディスクと識別されたときには、前記記憶手段に記憶されている設定プログラムナンバーから再生を行ない、ＲＯＭディスクと識別されたときには、前記設定プログラムナンバーを現在再生している位置に設定し直し、前記２秒１６フレーム位置以降のデータの読み込みを行なう制御手段と、
を備えて成ることを特徴とするオーディオ／ＲＯＭ兼用光ディスク再生装置。
【発明の詳細な説明】
【０００１】
【産業上の利用分野】
本発明はオーディオ／ＲＯＭ兼用光ディスク再生装置に関し、特にオーディオディスクとＲＯＭディスクについてプログラムナンバー設定等の各種の操作性を改善するオーディオ／ＲＯＭ兼用光ディスク再生装置に関する。
【０００２】
【従来の技術】
車載用光ディスク再生装置においては、音楽等が格納されているオーディオディスクの再生機能だけでなく、ナビゲーションシステムで用いられる地図情報等が格納されているＲＯＭディスクの再生機能をも併せて備えるものが増加している。
【０００３】
従来、オーディオディスク専用の光ディスク再生装置では、ディスクをディスク挿入位置（または排出位置：イジェクト位置）から再生可能位置（ディスクを正常に再生可能な位置）に移動している間であっても、再生を希望するプログラムナンバーのアップ／ダウン操作による設定が可能であり、挿入されたディスクのディスク情報（ＴＯＣ）の読み込み終了後に、設定されたプログラムナンバーへのサーチを開始している。
【０００４】
一方、上記オーディオディスクとＲＯＭディスクの両ディスクを再生可能とする光ディスク再生装置に、このオーディオディスク専用光ディスク再生装置のプログラム設定機能をそのまま採用すると問題が生ずる。
【０００５】
例えば、ナビゲーション用のＣＤＲＯＭの場合、２秒１６フレーム以降のデータを読み込む必要があるが、そこに至る以前に上記オーディオディスク専用光ディスク再生装置のようなプログラムサーチを有効として動作させると、ナビゲーション用のデータの読み込み途中となってしまうため、このプログラムサーチは禁止とされていた。
【０００６】
【発明が解決しようとする課題】
上述のように、オーディオディスクとＲＯＭディスクの両ディスクについて再生可能な従来の光ディスク再生装置においては、ディスク挿入位置から再生可能位置へのディスクの移動中にプログラムナンバーキー操作が行なわれると、オーディオディスクの場合には問題が生じないが、ＲＯＭディスク、例えばナビゲーションＣＤＲＯＭの場合には、２秒１６フレーム以前のデータを読み込んでしまう恐れが高く、これを回避するため、このプログラムナンバーキー操作を無効としていた。したがって、オーディオディスク専用の光ディスク再生装置と比較して操作性の面で問題があった。
【０００７】
そこで、本発明の目的は、オーディオディスクとＲＯＭディスク兼用で動作し、操作性を改善したオーディオ／ＲＯＭ兼用光ディスク再生装置を提供することにある。
【０００８】
【課題を解決するための手段】
前述の課題を解決するために本発明のオーディオ／ＲＯＭ兼用光ディスク再生装置は、
オーディオデータが記録されているオーディオディスクと、２秒１６フレーム位置以降にオーディオデータ以外のデータが格納されているＲＯＭディスクの両ディスクを再生可能なオーディオ／ＲＯＭ兼用光ディスク再生装置において、
収納されているディスクが再生可能状態に至るまでの間に設定されたプログラムナンバーを記憶する記憶手段と、
前記収納ディスクの前記２秒１６フレーム位置のサーチを行い、サーチ後の前記２秒１６フレーム位置における記録情報に基づいて前記収納ディスクがオーディオディスクかＲＯＭディスクかを識別する識別手段と、
該識別手段によりオーディオディスクと識別されたときには、前記記憶手段に記憶されている設定プログラムナンバーから再生を行ない、ＲＯＭディスクと識別されたときには、前記設定プログラムナンバーを現在再生している位置に設定し直し、前記２秒１６フレーム位置以降のデータの読み込みを行なう制御手段と、
を備えて構成される。
【０００９】
【作用】
本発明では、収納されているディスクが再生可能状態に至るまでの間に設定されたプログラムナンバーを記憶しておき、ＲＯＭディスクのそれ以降にオーディオデータ以外のデータが格納されている２秒１６フレーム位置をサーチしてこの２秒１６フレーム位置における記録情報に基づいて収納ディスクがオーディオディスクかＲＯＭディスクかを識別し、オーディオディスクと識別されたときには、記憶されている設定プログラムナンバーから再生を行ない、ＲＯＭディスクと識別されたときには、前記設定プログラムナンバーを現在再生している位置に設定し直し、前記２秒１６フレーム位置以降のデータの読み込みを行なっている。
【００１０】
【実施例】
次に、本発明の実施例を図面を参照しながら説明する。
図１は、本発明によるオーディオ／ＲＯＭ兼用光ディスク再生装置の一実施例を示す構成ブロック図である。
【００１１】
光ディスク２は、信号処理部６から送出されるスピンドル制御信号で制御されるスピンドルモータ４により回転駆動される。光ピックアップ３は、信号処理部６からのサーボコントロール信号により光ディスクの径方向位置が制御され、光ディスク２からの反射信号を受光して電気信号に変換し、ディスクデータ信号としてＲ／Ｆアンプ５に供給する。
【００１２】
信号処理部６は、Ｒ／Ｆアンプ５からのＲ／Ｆ信号を受け、光ピックアップ３のフォーカス制御とトラッキング制御を行なうためフォーカス信号とトラッキング信号を出力する。信号処理部６は、またスピンドル、スレッドの各サーボ制御を行なうための制御信号を出力するとともに、Ｒ／Ｆ信号からサブコードＱデータ信号を生成して出力する。
【００１３】
操作キー部７は、当該装置の動作を指示するためのキーデータ信号をマイクロコンピュータ１に送出する。表示部８は、マイクロコンピュータ１の出力ポート１ｅを介して受信した表示データ信号に基づいて当該装置の動作状態を画面に表示する。
【００１４】
ディスク挿入判断スイッチ９は、これから再生しようとするディスク２Ａが挿入位置にあることを検出するスイッチで、ディスク挿入判断信号をマイクロコンピュータ１に送出する。
【００１５】
ディスク移動モータ１０は、挿入されたディスク２Ａを、マイクロコンピュータ１から供給されるディスク移動制御信号に基づいて、再生可能位置（ディスク２位置）にローディング（移動）する。
【００１６】
ディスク再生検出スイッチ１１は、ディスクが正常に再生可能な位置、つまりディスクデータ読み出し可能位置にある状態を検出するスイッチで、ディスク再生位置検出信号をマイクロコンピュータ１に送出する。
【００１７】
マイクロコンピュータ１は、ＲＯＭ１ｃに格納されているプログラム手順に従って本実施例装置の制御を行ない、キー操作部７からのキーデータ信号、信号処理部６からのフォーカス信号、トラッキング信号、信号処理終了信号、ディスク挿入判断スイッチ９からのディスク挿入判断信号及びディスク再生検出スイッチ１１からのディスク再生位置検出信号を受け、ＴＯＣデータ等を入力ポート１ａを介してＲＡＭ１ｄに格納するとともに、ＲＯＭ１ｃに格納されているプログラム手順に従ったＣＰＵ１ｂの処理を、ＲＡＭ１ｄの格納データを用いて実行し、出力ポート１ｅを介して、信号処理部６に信号処理制御信号を、ディスク移動モータ１０にディスク移動制御信号を、表示部８に表示データ信号を送出する。
【００１８】
図２には、マイクロコンピュータ１のＣＰＵ１ｂで実行される本実施例の動作処理手順がフローチャートとして示されている。
【００１９】
図１とともに図２を参照すると、先ず、ディスク挿入判断スイッチ９からのディスク挿入判断信号に基づいてディスク挿入の有無が判断され（ステップＳ１）、ディスク有りと判断されるまで待機する（ルートＲ１）。ここで、ディスクが有りと判断されると、ディスク挿入開始状態か否かを判断し（ステップＳ２）、挿入開始状態であれば、ＲＡＭ１ｄに記憶されているＴＯＣデータをクリアし（ステップＳ３）、プログラムナンバーの初期値“０１”を設定し（ステップＳ４）、ディスク移動制御信号をディスク移動モータ１０に送出してディスクをディスク再生位置に移動させた後（ステップＳ５）、ステップＳ１のスタート処理に戻る（ルートＲ２）。
【００２０】
ステップＳ２において、ディスク挿入開始状態でないと判断されると、キー操作部７からのキーデータ信号を参照してプログラムナンバーのアップ（ＵＰ）要求があるか否かの判断を行なう（ステップＳ６）。ここで、プログラムナンバーのアップ要求があれば、プログラムナンバーを１だけインクリメントした後（但し、現プログラムナンバーがＭＡＸ（最大）プログラムナンバーの場合は、ＭＩＮ（最小）プログラムナンバーとする）（ステップＳ７）、ステップＳ１０に至る。ここで、ＴＯＣ読み込み前は、プログラムＭＡＸ”９９”、プログラムＭＩＮ”０１”とマイコンには設定されている。
【００２１】
また、ステップＳ６において、プログラムナンバーのアップ要求がないと判断されると、ステップＳ８においてプログラムナンバーダウン（ＤＯＷＮ）要求の有無を判断し、ダウン要求があれば、プログラムナンバーを１だけデクリメントし（ステップＳ９）、ステップＳ１０の処理に戻る。ステップＳ８において、ダウン要求がなかった場合も、そのままステップＳ１０の処理に至る。但し、ステップＳ９において、現プログラムナンバーがＭＩＮプログラムナンバーの場合には、ＭＡＸプログラムナンバーとする。
【００２２】
このように、それぞれのプログラムナンバーはＲＡＭ１ｄに格納されるが、ステップＳ６とＳ８の判断で、プログラム操作の要求がなければプログラムナンバーは操作されない（プログラムナンバー”０１”として処理する）。
【００２３】
ステップＳ１０では、上記プログラムナンバー変化要求判断後、ディスク再生検出スイッチ１１からのディスク再生位置検出信号を参照してディスクが再生可能位置までローディングされているか、つまりローディングが完了しているか否かを判断し、ローディング完了していなければ、ステップＳ１の処理に戻り（ルートＲ４）、完了していれば、ディスク移動制御信号を送出してディスク移動モータ１０の移動をストップさせる（ステップＳ１１）。
【００２４】
続いて、ＴＯＣの読み込みが終了しているか否かを判断し（ステップＳ１２）、終了していれば、既にオーディオディスクかＲＯＭディスクかの判断、決定が行なわれているか否かを判定する（ステップＳ１３）。ここで、ステップＳ１３の判断、決定が済んでいれば、ステップＳ１の処理に戻り（ルートＲ１２）、済んでいなければ、ルートＲ５を経て２秒１６フレーム位置へのサーチが終了しているか否かを判断し（ステップＳ１４）、終了していなければ、ステップＳ１の処理に戻る（ルートＲ６）。
【００２５】
ステップＳ１４において、サーチが終了していれば、現在の位置がオーディオ／ＲＯＭディスクの判断の基準位置であるデータ記録位置２秒１６フレームか否かを判断する（ステップＳ１５）。ここで、２秒１６フレーム位置であると判断されれば、そこで得られたサブコードＱデータ信号を参照してオーディオデータか否かを判断する（ステップＳ１６）。また、ステップＳ１５において、２秒１６フレーム位置でないと判断されると、ルートＲ８を経て、２秒１６フレーム位置へのサーチ処理を実行して（ステップＳ１８）ステップＳ１の処理に戻る（ルートＲ１２）。
【００２６】
ステップＳ１６において、オーディオデータであると判断されると、キー操作部７の操作で設定されているプログラムナンバーへ、あるいはキー操作がない場合はプログラムナンバー”０１”への移動を開始し、サーチして（ステップＳ１７）、ステップＳ１の処理に戻る（ルートＲ１２）。
【００２７】
ステップＳ１６において、オーディオデータでないと判断されると、ＲＯＭディスクであると判断して、ルートＲ７を経て、設定したプログラムナンバーを現在再生している位置に設定し直した後（ステップＳ１９）、ステップＳ１の処理に戻る。
【００２８】
ステップＳ１２において、ＴＯＣの読み込みが終了していないと判断されると、ルートＲ９を経て、サブコードＱデータ信号からＴＯＣを読み込んだ後（ステップＳ２０）、再びＴＯＣ読み込みが終了したか否かを判断する（ステップＳ２１）。ここで、ＴＯＣ読み込みが終了していなければ、そのままステップＳ１の処理に戻り（ルートＲ１１）、終了していれば、オーディオ／ＲＯＭディスクの判断を行なうため、データ記録位置２秒１６フレームへのサーチを行なって（ステップＳ２２）、ルートＲ１０を経てステップＳ１の処理に戻る。
【００２９】
上記サーチ動作処理は、信号処理部６から出力されるサーボコントロール信号に基づいて光ピックアップ３を移動させることにより行なわれる。
【００３０】
尚、以上の実施例では、プログラムナンバーサーチ動作について説明しているが、本発明は、ランダム再生動作やリピート動作などの他のファンクション動作においても適用できることは勿論である。
【００３１】
【発明の効果】
以上説明したように、本発明によるオーディオ／ＲＯＭ兼用光ディスク再生装置によれば、オーディオディスクとＲＯＭディスクの両ディスク対応装置であっても、オーディオ専用装置と同等な操作で動作制御を可能とするので、操作性が格段に改善される。
【図面の簡単な説明】
【図１】本発明によるオーディオ／ＲＯＭ兼用光ディスク再生装置の一実施例を示す構成ブロック図である。
【図２】マイクロコンピュータ１のＣＰＵ１ｂで実行される本実施例の動作処理手順を示すフローチャートである。
【符号の説明】
１      マイクロコンピュータ
１ａ    入力ポート
１ｂ    ＣＰＵ
１ｃ    ＲＯＭ
１ｄ    ＲＡＭ
２，２Ａ    光ディスク
３      光ピックアップ
４      スピンドルモータ
５      Ｒ／Ｆアンプ
６      信号処理部
７      キー操作部
８      表示部
９      ディスク挿入判断スイッチ
１０    ディスク移動モータ
１１    ディスク再生検出スイッチ
【図１】
0003625857.tif 000002
【図２】
0003625857.tif 000003